(57)【特許請求の範囲】
【請求項１】
パンツ本体の内側に左右あて布（３，４）が設けられた男性用トランクス型パンツであって、
該左右あて布（３，４）がパンツ本体前身頃（５，６）内面とパンツ本体後身頃（８，９）内面とにおいてのみパンツ本体（１）と接するように設けられ、
該あて布（３，４）のパンツ本体前身頃内面に接する端部とパンツ本体後身頃内面に接する端部とを結ぶ上縁辺が両脚鼠蹊部の直下に位置し、
該あて布（３，４）の下縁辺から上縁辺までの高さが前方から後方にかけて直線状又は弧状に低くなっており、その最も低い高さにおいても男性器全面を覆うことができる高さであり、そして、
該左右あて布（３，４）の間に男性器が収納されることにより、男性器全面と左右両内股とが隔てられ、男性器下部が該左右あて布（３，４）の間において開放された構造であることを特徴とするパンツ。
【請求項２】
トランクス型パンツを成形後に左右あて布（３，４）が設けられたか、又は一枚布を用いてパンツ本体（１）と左右あて布（３，４）が同時に一体成形された、請求項１記載の男性用トランクス型パンツ。
【請求項３】
パンツ本体（１）及びあて布（３，４）が、通気性、吸湿性に優れ、肌に触れても不快感がない素材で作製された、請求項１又は２に記載の男性用トランクス型パンツ。
【発明の詳細な説明】
【０００１】
【発明の属する技術分野】
本発明は、下半身に着用する男性用トランクス型パンツ、より詳しくは、快適な着用感を供給する男性用トランクス型パンツに関するものである。
【０００２】
【従来の技術】
従来の男性用トランクス型パンツは、胴体を納める胴部用開口部から脚に向けて二股に分かれて二つの脚用開口部が設けられており、これを男性が着用した場合、開放的な構造のため通気性が良く、蒸れにくいという利点がある。しかし、男性器を支持する部分が無いため、男性器は、下着内部で必ず左右どちらかの脚の側に片寄り内股に触れた形で納められていた。このような状況は下半身が非常に窮屈であり、気候や着用の状況によっては蒸れが生じて不快感を感じたり股ズレしたりする原因ともなる。このような不都合を改善するため、種々の方策が検討されてきている。
【０００３】
特願平６−２９１６２３号は、男性用パンツの内側に２本の帯状体を設けることにより、男性器と両脚の鼠蹊部との間を密着させないようにしたパンツを開示するが、これは男性器と両脚の鼠蹊部とを隔てる部分が帯状であるため陰嚢部全てを内股に接触させないようにすることができない。
特願平６−２８６１１６号は、男性用下着の前面に陰嚢部あるいは陰茎部を収容可能な袋部をそれぞれ設けることにより着用時にそれらを所定の位置に保持させることができる下着を開示する。しかし、この下着によれば陰嚢部あるいは陰茎部は袋部によって覆われることとなるので、かかる下着を特にインナータイプとして使用しこの上に普通の下着を重ねて着用する場合には通気性に問題があり蒸れの原因ともなる。
【０００４】
特願平７−２２０９８５号は、パンツ本体の前部内側に穴を有する布片を設けて、この穴から陰茎部と陰嚢部を出しパンツ本体の前部内側と布片との隙間にそれらを納めるパンツを開示し、登録実用新案公報第３０４２８９３号は、パンツの前面に開口部を設け、その外側に覆い布を付けたパンツを開示する。これらによれば陰茎部及び陰嚢部が内股や下腹部に直接接することが避けられるが、いずれも男性器を収納する部分が塞がった構造になっているため通気性に問題がある。
特願平１０−２９４８７４号は、パンツ本体の前面内側にパンツ後面側に開口する収納袋を設け、これに男性器を乗せるように収納するパンツを開示するが、当該パンツも男性器を収納する部分、特に下部が塞がった構造になっているため通気性に問題がある。
【０００５】
特願平８−２０３１４３号は、パンツ本体の前面内側に、男性の外陰部を取り囲むことが可能なＵ字状又はＯ字状の布体を取り付けたパンツを開示するが、かかる構造により陰嚢部が完全に内股に接触しないようにするには、布体の幅を大きくとる必要があり、履きづらく、気候によっては却って蒸れの原因ともなる。特願平１１−２３４５１３号は、胴体収納部に二つの脚用収納部と男性器収納部とを三股分かれに取り付けた男性用下着を開示するが、この構造によれば、座ったときに前から男性器が見えてしまうという欠点がある。
【０００６】
【発明の解決しようとする課題】
本願発明は、男性用トランクス型パンツにおいて従来着用時に感じられた不快感を解消する、快適パンツを供給することを目的とする。
また、本願発明は、詳しくは、男性用トランクス型パンツが本来有する通気性が良く蒸れにくいという利点を有したまま、男性器を一定の位置に収納することができる男性用トランクス型パンツを供給することをその目的とする。
更に、本願発明は、男性用トランクス型パンツを着用して座ったときに、前から男性器が見えることがないパンツを供給することを目的とする。
【０００７】
【課題を解決するための手段】
上記の目的を達成するために、本発明に係る男性用トランクス型パンツは、例えば、請求項１に記載するように、パンツ本体の内側に左右あて布（３，４）が設けられた男性用トランクス型パンツであって、該左右あて布（３，４）がパンツ本体前身頃（５，６）内面とパンツ本体後身頃（８，９）内面とにおいてのみパンツ本体（１）と接するように設けられ、該あて布（３，４）のパンツ本体前身頃内面に接する端部とパンツ本体後身頃内面に接する端部とを結ぶ上縁辺が両脚鼠蹊部の直下に位置し、該あて布（３，４）の下縁辺から上縁辺までの高さが前方から後方にかけて直線状又は弧状に低くなっており、その最も低い高さにおいても男性器全面を覆うことができる高さであり、そして、該左右あて布（３，４）の間に男性器が収納されることにより、男性器全面と左右両内股とが隔てられ、男性器下部が該左右あて布（３，４）の間において開放された構造であることを特徴とするパンツである。
【０００８】
本願発明のトランクス型パンツは、その内側に男性器全面と左右両内股とを隔てる左右あて布が設けられているので、男性器がパンツ内部で左右どちらかの脚の側に片寄ることなく当該左右あて布の間に男性器を支持することができる。この構造により、従来、トランクス型パンツ着用時に感じられた下半身の窮屈感や蒸れを解消することができ、使用者に快適感を供給することができる。
ここで本明細書中で使用される「男性器全面」とは、男性器の陰嚢部及び陰茎部全体の表面をいい、「男性器全面と左右両内股とを隔てる」とは、男性器全面が左右両内股に触れることなく収納されることをいう。
【０００９】
本願発明のトランクス型パンツの内側に設けられた左右あて布は、パンツ本体前身頃内面とパンツ本体後身頃内面とにおいてのみパンツ本体と接するように設けられている。ここでいう「パンツ本体前身頃内面とパンツ本体後身頃内面とにおいてのみパンツ本体と接する」とは、左右あて布がパンツ本体前身頃内面及び後身頃内面以外の部分においては接することが無く、従って、従来のトランクス型パンツと同様、開放された構造（特に男性器下部）であることを示す。この構造により、本願発明のパンツは、トランクス型パンツが本来有する通気性が良く蒸れにくいという利点を有したまま、男性器を一定の位置に収納することができる。
【００１０】
また、本願発明のトランクス型パンツにおいては、かかる左右あて布を、該あて布のパンツ本体前身頃内面に接する端部とパンツ本体後身頃内面に接する端部とを結ぶ上縁辺が両脚鼠蹊部の直下に位置するようにパンツ本体内部に設けることにより、あて布が内股に食い込むのを防ぐことができ、更に、該あて布の下縁辺から上縁辺までの高さを前方から後方にかけて直線状又は弧状に低くすることにより、内股、特に肛門付近への食い込みを防ぐことができる。ここで、「前方」、「後方」とは、それぞれ「前身頃に接する部分」、「後身頃に接する部分」をいい、あて布の下縁辺から上縁辺までの高さは、直線状又は弧状に、連続的に低くするか又は不連続に段階的に低くしてもよい。また、このとき、該あて布の最も低い高さを、男性器全面（特に陰嚢部）を覆うことができる高さにすることにより、男性器全面と左右両内股とを隔てることができる。
【００１１】
また、本発明に係る男性用トランクス型パンツは、例えば、請求項２に記載するように、トランクス型パンツを成形後に左右あて布（３，４）が設けられたか、又は一枚布を用いてパンツ本体（１）と左右あて布（３，４）が同時に一体成形された、請求項１記載の男性用トランクス型パンツである。
左右あて布がトランクス型パンツを成形後に設けられる場合には、あて布は、例えば、逢着、接着など当業者に周知のいずれの方法により取り付けられても良い。
【００１２】
また、本発明に係る男性用トランクス型パンツは、例えば、請求項３に記載するように、パンツ本体（１）及びあて布（３，４）が、通気性、吸湿性に優れ、肌に触れても不快感がない素材で作製された、請求項１又は２に記載のパンツである。
本発明のパンツ本体及びあて布に用いる材料は、通常、吸湿性に優れた布が用いられるが、吸湿性に優れ適度な柔らかさがあれば、布に限らず紙等どのようなものを採用してもよい。
【００１３】
【発明の実施の態様】
以下、添付図面により本発明の男性用トランクス型快適パンツの一例を具体的に説明する。図１は、パンツ本体１の上縁２を広げた状態の説明用概略斜視図であり、図２及び３は、それぞれその立体正面図及び平面図である。
本発明のパンツは、図１〜３に示すＡに左脚を、Ｂに右脚を入れて着用することにより、左あて布３と右あて布４の間に男性器が収納される構造である。左右のあて布３，４は、それぞれパンツの前身頃５，６の内面と後見頃８，９の内面に接するようにパンツ本体内部に設けられる。
【００１４】
図３において、左右あて布３，４（図中太波線で示す）は前身頃内面５，６と後身頃内面８，９に接して設けられていればよいが、前身頃においては、左右あて布が前身頃中心線７（鉛直方向の線）から水平方向左右にそれぞれ、左右あて布の間に男性器を収納できるような一定の間隔を隔てた位置において前身頃内面５，６と接するように設けられるのが好ましい。また、後身頃においては、左右あて布が内股に食い込むのを防ぐために、後見頃中心線１０（鉛直方向の線）から水平方向左右にそれぞれ一定間隔を隔てた位置において後身頃内面７，８と接するように設けられるのが好ましい。同時に、パンツ本体へのあて布の取り付けを確実なものとするためには、例えば、後見頃中心線１０から水平方向左右にあて布が接する位置までの間隔を取り付けしろとして、あて布を設ける（接着、逢着など）ことが好ましいが、取り付けしろはこの部分に限定されるものではなく、また、当業者に周知の他のいずれの方法をも用いることができる。
【００１５】
あて布の下縁辺から上縁辺までの高さ（図中矢印で示す）は使用者の体格に依存するが、男性器全面と内股が直接触れないように隔てることができる高さである。あて布が内股に食い込むのを防ぐため、あて布のパンツ本体前身頃内面に接する端部とパンツ本体後身頃内面に接する端部とを結ぶ上縁辺は両脚鼠蹊部の直下に位置することが好ましく、更に、内股、特に肛門付近への食い込みを減らすため、あて布の上縁辺において前見頃に接する部分１３から後見頃に接する部分１４にかけて直線上又は弧状に下縁辺までの高さが低くなっていることが好ましい。
【００１６】
図４は、一枚布を用いてパンツ本体と左右あて布とを同時に一体成形した本発明に係るパンツの一態様を示す上面図である。図４左図の態様においては、一枚布の両端１１，１２を後身頃８，９の内面に接し、左前見頃５と右前身頃６とを接して前身頃中心部７を構成することにより本発明のパンツを作製する。一方、図４右図の態様においては、一枚布の両端１１，１２をそれぞれ左前身頃５及び右前身頃６の内面に接し、左後見頃８と右後身頃９とを接して後身頃中心部１０を構成することにより本発明のパンツを作製する。
【００１７】
布を接する際には、例えば、逢着、接着など当業者に周知のいずれの方法により取り付けられても良い。このようにして作製された図４のパンツを、Ａに左脚を、Ｂに右脚を入れて着用することにより、左あて布３と右あて布４の間に男性器が収納される。図４の左図又は右図に示すいずれの態様でもよいが、この方法によれば、一枚布を用いて極めて簡単に本発明のパンツを作製することができ、同時に製造コストの低減を図ることも可能となる。
【００１８】
【発明の効果】
本発明の快適パンツによれば、股ズレを起こしたり股間が蒸れたりすることがなく、男性器の安定した収納が可能である。
また、この構造だと座ったときに男性器が見えづらくなる長所もある。
【図面の簡単な説明】
【図１】  図１は、本発明に係る快適パンツのパンツ本体の上縁を広げた状態の説明用概略斜視図である。
【図２】  図２は、本発明に係る快適パンツの一態様を示す立体正面図である。
【図３】  図３は、本発明に係る快適パンツの一態様を示す平面図である。
【図４】  図４は、一枚布を用いてパンツ本体と左右あて布とを同時に一体成形した本発明に係る快適パンツの一態様を示す上面図である。
【符号の説明】
１：  パンツ本体
２：  パンツ上縁
３：  左あて布
４：  右あて布
５：  左前身頃
６：  右前見頃
７：  前身頃中心線（鉛直方向）
８：  左後見頃
９：  右後見頃
１０：  後見頃中心線（鉛直方向）
１１：  一枚布の端部
１２：  一枚布の端部
１３：  あて布上端の本体前見頃に接する部分
１４：  あて布上端の本体後見頃に接する部分
Ａ：  左脚用開口部
Ｂ：  右脚用開口部
【図１】
0003942867.tif 000002
【図２】
0003942867.tif 000003
【図３】
0003942867.tif 000004
【図４】
0003942867.tif 000005